(57)【要約】【課題】一度捕えた獲物を容易に逃がさず、且つ捕獲した獲物をリリースする際、簡易に獲物の口内からルアーを取り外すことができ、捕獲した獲物に対しても過大なダメージを与えることのないルアーを提供することを目的とする。【解決手段】本考案に係るルアーは、獲物を誘き寄せるための装飾部を含み、曲げ加工が施され、屈曲部と、２本の脚部を有する線材と、前記脚部の開脚を阻止する脚部係止部と、前記獲物を捕獲した際、前記獲物の口内の所定箇所と接する少なくとも２つのフック部と、前記脚部の端部と、前記フック部とを着脱可能に接続するコネクト部とを備える。【選択図】  図１
0003164076.tif 000002
【実用新案登録請求の範囲】
【請求項１】
獲物を誘き寄せるための装飾部を含むルアーであって、
曲げ加工が施され、屈曲部と、２本の脚部を有する線材と、
前記脚部が開脚するのを阻止する脚部係止部と、
前記獲物を捕獲した際、前記獲物の口内の所定箇所と接する２つのフック部と、
前記脚部の端部と、前記フック部とを着脱可能に接続する２つのコネクト部とを備え、
前記線材は、さらに、前記脚部係止部を所定位置に留めるための少なくとも２つのロック部を有し、
前記脚部係止部が前記ロック部に係合して所定位置に留まることで、前記脚部が、開脚方向への付勢力を有した状態で前記脚部係止部に係止される一方、
前記脚部係止部が、釣り糸の張力によって引っ張られると、前記ロック部との係合が外れて前記屈曲部へ向かって移動し、それに伴い前記脚部の前記付勢力によって、前記脚部が開脚することを特徴とするルアー。
【請求項２】
一端が前記脚部係止部と、他端が釣り糸と接続する釣り糸接続部をさらに備え、
前記釣り糸接続部を介して、前記釣り糸の張力が前記脚部係止部に伝わる構成である請求項１に記載のルアー。
【請求項３】
前記ロック部は、前記装飾部より前記屈曲部側に位置している請求項１又は２に記載のルアー。
【請求項４】
前記フック部は、その先端が前記脚部の開脚方向側に向くよう湾曲している請求項１から３のいずれか一項に記載のルアー。
【請求項５】
獲物を誘き寄せるための装飾部を含むルアーであって、
曲げ加工が施された複数の線材と、
前記複数の線材を束ねる基部と、
前記複数の線材の各々が開脚するのを阻止する脚部係止部と、
前記獲物を捕獲した際、前記獲物の口内の所定箇所と接する複数のフック部と、
前記複数の線材の端部と、前記複数のフック部とをそれぞれ対応させて着脱可能に接続する複数のコネクト部とを備え、
前記複数の線材は、それぞれ、前記脚部係止部を所定位置に留めるためのロック部を有し、
前記脚部係止部が前記ロック部に係合して所定位置に留まることで、前記複数の線材が、開脚方向への付勢力を有した状態で前記脚部係止部に係止される一方、
前記脚部係止部が、釣り糸の張力によって引っ張られると、前記ロック部との係合が外れて前記基部へ向かって移動し、それに伴い前記複数の線材の前記付勢力によって、前記複数の線材の各々が開脚することを特徴とするルアー。
【請求項６】
一端が前記脚部係止部と、他端が釣り糸と接続する釣り糸接続部をさらに備え、
前記釣り糸接続部を介して、前記釣り糸の張力が前記脚部係止部に伝わる構成である請求項５に記載のルアー。
【請求項７】
前記脚部係止部は、内部が空洞の部材であり、
前記複数の線材が、前記脚部係止部の内部に配置される請求項５又は６に記載のルアー。
【請求項８】
前記ロック部は、前記装飾部より前記基部側に位置している請求項５から７のいずれか一項に記載のルアー。
【請求項９】
前記複数のフック部は、その先端が前記複数の線材のそれぞれの開脚方向側に向くよう湾曲している請求項５から８のいずれか一項に記載のルアー。
【考案の詳細な説明】
【技術分野】
【０００１】
本考案は、釣り糸の先端に装着され、魚等の獲物を誘き寄せるために使用されるルアーに関する。
【背景技術】
【０００２】
従来、獲物の興味を引く装飾部を備えるルアーを使った、いわゆるルアーフィッシングが盛んに行われており、このルアーフィッシングでは、キャッチアンドリリースと呼ばれる、捕獲した獲物の口内から釣り針を外し、生きた状態で再度海や川に戻す手法が行われる。一般に市販されているルアーは、ルアー本体に３本の針が一つに束ねられているフック（通称ギャング針）が２か所か３か所に装備され、このギャング針は、針も太く、しかも針返しが付いているため、釣れた魚をリリースしても、魚に傷が付き死んでしまうことも少なくない。なお、ルアーではないが釣り針として、一度針をくわえた獲物を容易に逃がさないための機構を備えるものとして、下記特許文献１に記載の技術が開示されている。
【０００３】
特許文献１に記載の技術は、
コイル状に巻かれ、且つ釣り糸の先端と接続する基部と、その基部から延びる複数の独立した針先とを有するバネと、
作動ピンと、
一端が釣り糸に、他端が作動ピンに結び付けられる補助糸と
を有した構成で、
獲物捕獲前、作動ピンによって複数の針先がバネ力に抗した形でまとめられている一方、針が獲物の口内に入ると釣り糸の張力によって作動ピンが引き抜かれ、針先がバネ力により拡張する。
【先行技術文献】
【特許文献】
【０００４】
【特許文献１】特開２００６−１４１３８８号公報
【考案の概要】
【考案が解決しようとする課題】
【０００５】
上記特許文献１に記載の技術は、餌を必要とする釣り針に関するものであり、それ自体としては、ルアーとしての機能を果たさない。一方、前記釣り針と獲物を誘き寄せる装飾部とを組み合わせてルアーとして使用する場合、前記技術が、獲物の口内で針先を拡張させる機構を備えるため、獲物の口内に針先が深く刺さる。そのため、獲物から前記技術に係る釣り針を取り外すのに大きな力を加える必要があるし、獲物に与えるダメージも大きい。
【０００６】
本考案は、一度捕えた獲物を容易に逃がさず、且つ捕獲した獲物をリリースする際、簡易に獲物の口内からルアーを取り外すことができ、捕獲した獲物に対しても過大なダメージを与えることのないルアーを提供することを目的とする。
【課題を解決するための手段】
【０００７】
前記課題を解決するための本考案に係るルアーは、
獲物を誘き寄せるための装飾部を含み、
曲げ加工が施され、屈曲部と、２本の脚部を有する線材と、
前記脚部が開脚するのを阻止する脚部係止部と、
前記獲物を捕獲した際、前記獲物の口内の所定箇所と接する２つのフック部と、
前記脚部の端部と、前記フック部とを着脱可能に接続する２つのコネクト部とを備え、
前記線材は、さらに、前記脚部係止部を所定位置に留めるための少なくとも２つのロック部を有し、
前記脚部係止部が前記ロック部に係合して所定位置に留まることで、前記脚部が、開脚方向への付勢力を有した状態で前記脚部係止部に係止される一方、
前記脚部係止部が、釣り糸の張力によって引っ張られると、前記ロック部との係合が外れて前記屈曲部へ向かって移動し、それに伴い前記脚部の前記付勢力によって、前記脚部が開脚することを特徴とする。
【０００８】
また、本考案の他の形態に係るルアーは、
獲物を誘き寄せるための装飾部を含み、
曲げ加工が施された複数の線材と、
前記複数の線材を束ねる基部と、
前記複数の線材の各々が開脚するのを阻止する脚部係止部と、
前記獲物を捕獲した際、前記獲物の口内の所定箇所と接する複数のフック部と、
前記複数の線材の端部と、前記複数のフック部とをそれぞれ対応させて着脱可能に接続する複数のコネクト部とを備え、
前記複数の線材は、それぞれ、前記脚部係止部を所定位置に留めるためのロック部を有し、
前記脚部係止部が前記ロック部に係合して所定位置に留まることで、前記複数の線材が、開脚方向への付勢力を有した状態で前記脚部係止部に係止される一方、
前記脚部係止部が、釣り糸の張力によって引っ張られると、前記ロック部との係合が外れて前記基部へ向かって移動し、それに伴い前記複数の線材の前記付勢力によって、前記複数の線材の各々が開脚することを特徴とする。
【考案の効果】
【０００９】
本考案によれば、獲物捕獲前、脚部係止部により抑えられていた線材が、前記脚部係止部の移動によって、獲物の口内を押圧しながら開脚することで、一度捕獲した獲物を逃がさず捕えることができる。また、フック部として、例えば円形、四角形のように、端部の断面が所定の太さを有するものとすることができるので、線材が獲物に深く刺さった状態とならず簡易にルアーを取り外すことができ、且つ獲物に対して過大なダメージを与えずにリリースすることが可能である。さらに、フック部が、コネクト部から脱離可能であることから種々の装飾部を装着させることができ、ルアーの使用者の趣味、嗜好等に応じたオリジナル性の高いルアーを提供することができる。
【００１０】
また、本考案によれば、下記の効果もある。魚は、ルアーに興味を示すと、ルアーにアタックし、ルアーに食いつきその後反転する習性があるが、その振動が釣り糸と竿を介して釣り人の手元に伝わってくる。これを「魚信」ないし「あたり」という。これまでの一般的なルアーフィッシングでは、釣り人は魚信を感じてから釣竿を立てることによりルアーのフックに魚を引っ掛けていた（フッキングをしていた）。これに対し、本考案によれば、魚がルアーにアタックして、魚の口内にフックが入り、魚が反転しようした瞬間に、脚部係止部により抑えられていた線材が、前記脚部係止部の移動によって、魚の口内を押圧しながら開脚するので、釣り人が釣竿を立てる動作をする前に魚を逃がさず捕えることができ、より早く魚を捕獲することができる。
【考案を実施するための形態】
【００１１】
以下、図面を参照して本考案の望ましい実施形態を詳細に説明する。但し、本考案は多くの異なる態様で実施することが可能であり、以下に示す実施の形態の記載内容に限定して解釈されるものではない。
【００１２】
（第１の実施形態）
図１乃至図３を参照して、本考案に係る第１の実施形態について説明する。図１は、本実施形態に係るルアー１０の構成要素である線材１２０の脚部１２２が脚部係止部１３０に係止された状態を示す図、図２は、前記線材１２０の脚部１２２が開脚した状態を示す図である。図３は、コネクト部１５０の詳細を示す図である。
【００１３】
まず図１を参照する。本実施形態に係るルアー１０は、装飾部１１０、線材１２０、脚部係止部１３０、フック部１４０、コネクト部１５０、釣り糸接続部１６０等から構成される。装飾部１１０は、魚等の獲物を誘き寄せるための装飾的な細工が施されたものであり、例えばビーズや、所定の模様が付されたフロートなどが考えられる（もちろん、ビーズ、フロートの双方を隣り合わせて配置させるようなものであってもよい。）。また、装飾部１１０は、線材１２０の脚部１２２の所定位置に取り付けられている。装飾部１１０の脚部１２２への取付方法は任意であり、本実施形態では、装飾部１１０の内部に脚部１２２を貫通させ、接着剤によって各々を接着し、固定させている。但し、装飾部１１０を固定せずに、ロック部１２３とコネクト部１５０との間をスライド移動可能なように取り付けてもよいし、それに加えて、装飾部１１０が脚部１２２を軸に回転可能なように取り付けてもよい。
【００１４】
線材１２０は、ルアー１０の骨格を担う部材で、図１に示すようにその略中央部分をクの字形に折り曲げる加工が施されている。その際、線材１２０には、屈曲部１２１及び２本の脚部１２２が形成される。また、線材１２０にさらに捻り加工を施すことで、屈曲部１２１を環形状としてもよい。ここに釣り糸接続部１６０を通すような構成としてもよい。
【００１５】
このような形状に加工された線材１２０は、各々の脚部１２２が閉脚する方向（矢印Ａ方向）に所定の力が加わると反対方向（矢印Ｂ方向、すなわち各々の脚部１２２が開脚する方向）に所定のバネ力（付勢力）が生ずる状態となり、図２に示すように、獲物３０の口内で脚部１２２の各々が矢印Ｂ方向に開脚する。それにより、ルアー１０が獲物３０の口内に強く固定される。（この作用の詳細については後述する。）また、脚部１２２の閉脚又は開脚の制御は、脚部係止部１３０によって行われる（脚部係止部１３０の詳細については後述する。）。ここで、脚部１２２の「閉脚」とは、屈曲部１２１を中心として、双方の脚部１２２が図１に示す矢印Ａ方向に閉じる動作を指す。また、脚部１２２の「開脚」とは、屈曲部１２１を中心として、双方の脚部１２２が図１に示す矢印Ｂ方向に開く動作を指す。
【００１６】
なお、線材１２０は、所定のバネ力（付勢力）を生ずるものであれば特に限定されるものではないが、オーステナイト系のステンレス鋼線や析出硬化系のステンレス鋼線であることが好ましい。また、図１では、屈曲部１２１がねじり加工をされて形成されているが、その形状・加工手段については特に限定されるものでなく、脚部１２２を閉脚させると反対方向（矢印Ｂ方向）にバネ力が生ずるように屈曲部１２１が構成されていればどのような形状であってもよい。
【００１７】
また、線材１２０は、双方の脚部１２２の各々に少なくとも１つずつ、脚部係止部１３０の端部を係合して留めるためのロック部１２３を備えている。ロック部１２３の構造は特に限定されるものではないが、本実施形態では、線材１２０の各々の脚部１２２の所定箇所が、矢印Ａ方向に向かって窪み、当該部分に、脚部係止部１３０を係合させている。なお、脚部１２２におけるロック部１２３の位置は、装飾部１１０よりも屈曲部１２１側であることが好ましい。そうすることで、ロック部１２３の留めが解除された際、脚部係止部１３０が、屈曲部１２１に極めて近い位置まで移動可能となる。そのため、脚部１２２の各々が、矢印Ｂ方向に向かってより大きく開脚することが可能となる。従って、ルアー１０を獲物３０の口内に、より強固に固定させることができる。
【００１８】
脚部係止部１３０は、脚部１２２が開脚することを阻止するための部材である。この場合、脚部係止部１３０は、その両端が前記ロック部１２３に係合して留められる。脚部係止部１３０は、釣り糸２０に張力が生じると、それと連動して脚部１２２に沿って（図１であれば、図の上下方向に）移動可能である。釣り糸２０との接続方法は特に限定されないが、釣り糸２０を脚部係止部１３０に直接括りつけてもよいし、図１に示すように、釣り糸２０と脚部係止部１３０との間に釣り糸接続部１６０を介在させてもよい。
【００１９】
また、脚部係止部１３０を、両端に真円状の環部を備える、いわゆる「猿環」と呼ばれる金具とし、その胴体部に釣り糸２０又は釣り糸接続部１６０を接続するようにしてもよい。なお、脚部係止部１３０とロック部１２３との係合構造であるが、脚部係止部１３０が、脚部１２２から分離しない状態で、且つ所定方向に移動可能に取り付けられていれば特に限定されるものではないが、図１では、脚部係止部１３０の両端部を、各々環を形成するよう折り曲げ、その内部に脚部１２２を挿通させている。
【００２０】
フック部１４０は、コネクト部１５０を介して、線材１２０の脚部１２２の端部に取り付けられており、ルアー１０が獲物３０の口内に入った際、口内の所定箇所と接触してルアー１０を固定させる機能を有する。フック部１４０は、図１に示すように、その先端が脚部１２２の開脚方向（矢印Ｂ方向）側に向くように湾曲する形状とすることが好ましい。このような形状とすることで、フック部１４０の先端が獲物３０の口内の接触箇所に引掛り、ルアー１０をより強固に固定することができる。なお、フック部１４０を先端が尖った針状物としてもよいが、針状物が刺さることにより獲物３０へ過大なダメージがかかることを考慮して、フック部１４０の先端の断面が、例えば円形、四角形のように所定の太さを有する形状とすることが好ましい。また、フック部１４０の材料は、線材１２０と同じものを採用してもよいことはもちろんのこと、耐久性、耐腐食性、加工のしやすさ等に応じて適宜選択可能である。
【００２１】
なお、コネクト部１５０は、線材１２０の端部（脚部１２２の端部）とフック部１４０とを着脱可能に接続できるものであれば特に限定されるものではないが、例えば、コネクト部１５０を、外部から熱を加えると収縮する熱収縮チューブとすることができる。この場合、図３に示すように、線材１２０の端部（脚部１２２の端部）とフック部１４０とを取り付ける場合には、両者を熱収縮チューブの端部から挿入し、熱を加えて固定する。また、フック部１４０を線材１２０の端部（脚部１２２の端部）から脱離させる場合には、熱収縮チューブを、ペンチなどの切断手段を用いて切り離す等が考えられる。このようなコネクト部１５０を用いることで、ルアー１０の使用者の趣味、嗜好等に応じて線材１２０の端部（脚部１２２の端部）に様々な種類のフック部や装飾部を装着することができる。
【００２２】
次に、本実施形態に係るルアー１０の作用について説明する。まず、図１に示すように、ルアー１０は、脚部係止部１３０がロック部１２３に留められて、双方の脚部１２２が閉脚した状態にある。このルアー１０が獲物３０の口内に入り、獲物３０口内の所定箇所にフック部１４０が接触し、ルアー１０が固定される。獲物３０はルアーに食いつくと、反転する動作をする。この獲物３０が反転する動作（あるいは、この魚信により釣り人が釣竿を立てること）により釣り糸２０に張力が生じて脚部係止部１３０が引っ張られる。それに連動して、脚部係止部１３０に対して働いていたロック部１２３による留めが解除されて、脚部係止部１３０が屈曲部１２１側に移動する。そして、それまで脚部係止部１３０によってキャンセルされていた線材１２０の矢印Ｂ方向に働くバネ力（付勢力）が解放され、図２に示すように、双方の脚部１２２が、獲物３０の口内で開脚する。その結果、フック部１４０が、獲物３０の口内の所定箇所とより強く接触し、ルアー１０が獲物３０の口内にさらに強固に固定される。一方で、先端の断面が円形、四角形等のフック部１４０を採用すれば、フック部１４０が獲物３０に深く刺さることがない。こうすることで、釣り人は、獲物３０へ過度のダメージを与えずに、ルアー１０にかかった獲物３０を手元まで運ぶことが可能になる。なお、前述のように、フック部１４０を釣り針等とすることができることはもちろんである。
【００２３】
（第２の実施形態）
次に、図４及び図５を参照して本考案に係る第２の実施形態について説明する。図４は、本実施形態に係るルアー４０の構成要素である線材４１０が脚部係止部１３０に係止された状態を示す図である。また、図５は、本実施形態に係るルアー４０の線材が開脚した状態を示す図である。なお、前述の第１の実施形態にかかるルアー１０と同一の部材については同じ符号を付し、説明を省略する。
【００２４】
第１の実施形態に係るルアー１０は、１本の線材１２０によって構成されていたが、本実施形態に係るルアー４０は、２本以上の線材４１０を用いて構成されている。また、これらの線材４１０は、その先端が基部４２０によって束ねられて固定されている。基部４２０は、線材４１０を束ねて固定できるものであれば特に限定されるものではないが、例えば蝋や半田などが考えられる。また、銅パイプに線材４１０を挿入して、銅パイプと線材とを半田付けして固定してもよい。さらに、線材４１０には、各々の線材４１０を閉脚する方向（矢印Ａ方向）に力を加えると、反対方向（矢印Ｂ方向）にバネ力（付勢力）が働くよう加工が施されている。図４を参照して具体的に説明する。図４では、線材４１０を２本用いたルアー４０が示されている。線材４１０は、基部４２０の近傍の所定箇所が折れ曲がり、先端が矢印Ｂ方向側に開くような形状に加工されている。そのような状態にある線材４１０に対して、矢印Ａ方向側に閉じるよう脚部係止部１３０により係止されることで、線材４１０には矢印Ｂ方向に向かうバネ力（付勢力）が生じる。
【００２５】
ルアー４０が獲物３０の口内に入って固定され、獲物３０が反転する（あるいは魚信により釣り人が釣り竿を立てる）と釣り糸２０に張力が生じて、脚部係止部１３０に対して働いていたロック部１２３による留めが解除され、脚部係止部１３０が基部４２０側に向かって移動する。すると、脚部係止部１３０に押さえつけられていた線材４１０が開脚し（図５参照）、ルアー４０が強固に獲物３０に固定される。それにより、釣り人は、釣り針等、獲物３０への過度のダメージのかかる捕獲手段を用いずとも、ルアー４０にかかった獲物３０を手元まで運ぶことが可能になる。なお、フック部１４０を釣り針等とすることができることは、第１の実施形態に係るルアー１０の場合と同様である。
【００２６】
上記では、線材４１０が２本の場合について説明したが、線材４１０が２本以上の場合についても適用することは可能である。その場合、図６に示すように、線材４１０を係止する脚部係止部１３０を内部が空洞の部材（図６では三角形。その他、環状のもの等でもよい。）とし、その内部に線材４１０を配置させるようにしてもよい。また、脚部係止部１３０と釣り糸２０の接続であるが、第１の実施形態と同様、釣り糸２０を脚部係止部１３０に直接括りつけてもよいし、釣り糸接続部１６０を介在させてもよい。但し、第１の実施形態と異なり、線材４１０を３本以上使用した場合には、釣り糸が絡み易いため、釣り糸が絡まないように釣り糸接続部１６０を介在させた方が好ましい。
【００２７】
なお、本考案に係るルアーの構成要素である線材やフック部の加工は、治具を使用した手加工でも良いが、一本の金属線を３次元の折り曲げ加工が可能なワイヤベンディング加工機、ワイヤフォーミング加工機などの工作機械を使用することが好ましい。
【図面の簡単な説明】
【００２８】
【図１】本考案の第１の実施形態に係るルアーの線材の脚部が脚部係止部に係止された状態を示す図。
【図２】本考案の第１の実施形態に係るルアーの線材が開脚した状態を示す図。
【図３】コネクト部の詳細を示す図である。
【図４】本考案の第２の実施形態に係るルアーの線材の脚部が脚部係止部に係止された状態を示す図。
【図５】本考案の第２の実施形態に係るルアーの線材が開脚した状態を示す図。
【図６】本考案の第２の実施形態に係るルアーの線材が３本以上ある場合の全体構成を示す図。
【符号の説明】
【００２９】
１０  ルアー
２０  釣り糸
３０  獲物
４０  ルアー
１１０  装飾部
１２０  線材
１２１  屈曲部
１２２  脚部
１２３  ロック部
１３０  脚部係止部
１４０  フック部
１５０  コネクト部
１６０  釣り糸接続部
４１０  線材
４２０  基部
【図１】
0003164076.tif 000003
【図２】
0003164076.tif 000004
【図３】
0003164076.tif 000005
【図４】
0003164076.tif 000006
【図５】
0003164076.tif 000007
【図６】
0003164076.tif 000008